(57)【要約】【課題】広告機能を有するブックカバーを配布するブックカバー棚を提供する。【解決手段】ブックカバー棚１は、書店やコンビニなどに設置され、書籍を保護するブックカバー２を収納する収納部１１と、ブックカバー２を書籍に装着した状態で展示する展示部１０とを備える。【選択図】図１
2005137561.tif 000002
【特許請求の範囲】
【請求項１】
書籍を保護するブックカバーを収納する収納部と、
前記ブックカバーを書籍に装着した状態で展示する展示部とを備えるブックカバー棚であって、
前記ブックカバーは、前記書籍の表紙、背表紙及び裏表紙を覆い、長辺及び短辺によって矩形をなし、表面に広告が印刷されたブックカバー本体と、前記ブックカバー本体の前記短辺に延設され、前記表紙又は前記裏表紙の何れかの内側に折り返される折り返し部と、前記ブックカバー本体を挟んで前記折り返し部と対向して設けられ、前記表紙又は前記裏表紙の何れかが挿入される挿入部と、前記挿入部と前記ブックカバー本体との境界において、前記ブックカバー本体より延設されて前記書籍の中身に折り込まれるしおりと、前記ブックカバー本体あるいは前記挿入部の向かい合った前記長辺の一部からそれぞれ延設され、内側に折り返されることにより書籍を保持する１対の羽根部とを備えることを特徴とするブックカバー棚。
【請求項２】
運営管理会社が、書籍を保護するブックカバーを収納する収納部と、前記ブックカバーを書籍に装着した状態で展示する展示部とを備えるブックカバー棚を、書籍を販売する店舗に設置するステップと、
前記運営管理会社が、ブックカバーによる広告を依頼する者と前記ブックカバーの製造及び設置契約を結ぶステップと、
前記運営管理会社が、前記設置契約の条件に従って、前記ブックカバー棚の前記収納部及び前記展示部に前記ブックカバーを設置するステップと、
前記運営管理会社が、前記設置契約の条件に従って、前記ブックカバーのメンテナンスを行うステップと
を含むことを特徴とするブックカバー設置方法。
【発明の詳細な説明】
【技術分野】
【０００１】
本発明は、ユーザにブックカバーを配布するためのブックカバー棚及びブックカバー設置方法に関する。
【背景技術】
【０００２】
従来、書店に設置された雑誌棚など顧客集客力の強い書籍棚に、宣伝広告用の板状物を設置し、書籍棚の一部を広告スペースとして使用する方法については開示されている（例えば、特許文献１参照。）
【特許文献１】特開２００３−１２５８６４号公報（「０００６」段落、図１）
【発明の開示】
【発明が解決しようとする課題】
【０００３】
しかしながら、顧客が書店で書籍を探している際には、書籍棚に設置された広告は注目されたとしても、顧客が書店を出てしまえば、その広告内容について顧客の記憶に残らない可能性が高い。又、書籍棚に広告を施しても、顧客者自身に実用的な用途があるわけではなかった。
【０００４】
そこで、上記の問題に鑑み、本発明は、広告機能を有するブックカバーを配布するブックカバー棚及びブックカバー設置方法を提供することを目的とする。
【課題を解決するための手段】
【０００５】
上記目的を達成するため、本発明の第１の特徴は、書籍を保護するブックカバーを収納する収納部と、ブックカバーを書籍に装着した状態で展示する展示部とを備えるブックカバー棚であって、ブックカバーは、書籍の表紙、背表紙及び裏表紙を覆い、長辺及び短辺によって矩形をなし、表面に広告が印刷されたブックカバー本体と、ブックカバー本体の短辺に延設され、表紙又は裏表紙の何れかの内側に折り返される折り返し部と、ブックカバー本体を挟んで折り返し部と対向して設けられ、表紙又は裏表紙の何れかが挿入される挿入部と、挿入部とブックカバー本体との境界において、ブックカバー本体より延設されて書籍の中身に折り込まれるしおりと、ブックカバー本体あるいは挿入部の向かい合った長辺の一部からそれぞれ延設され、内側に折り返されることにより書籍を保持する１対の羽根部とを備えるブックカバー棚であることを要旨とする。
【０００６】
第１の特徴に係るブックカバー棚によると、広告機能を有するブックカバーを配布することができる。
【０００７】
又、本発明の第２の特徴は、運営管理会社が、書籍を保護するブックカバーを収納する収納部と、ブックカバーを書籍に装着した状態で展示する展示部とを備えるブックカバー棚を、書籍を販売する店舗に設置するステップと、運営管理会社が、ブックカバーによる広告を依頼する者とブックカバーの製造及び設置契約を結ぶステップと、運営管理会社が、設置契約の条件に従って、ブックカバー棚の収納部及び展示部にブックカバーを設置するステップと、運営管理会社が、設置契約の条件に従って、ブックカバーのメンテナンスを行うステップとを含むブックカバー設置方法であることを要旨とする。
【０００８】
第２の特徴に係るブックカバー設置方法によると、広告機能を有するブックカバーを効率的に配布することができる。
【発明の効果】
【０００９】
本発明によると、広告機能を有するブックカバーを配布するブックカバー棚及びブックカバー設置方法を提供することができる。
【発明を実施するための最良の形態】
【００１０】
次に、図面を参照して、本発明の実施の形態を説明する。以下の図面の記載において、同一又は類似の部分には、同一又は類似の符号を付している。ただし、図面は模式的なものであることに留意すべきである。
【００１１】
（ブックカバー棚の構成）
本発明の実施の形態に係るブックカバー棚１は、書店やコンビニなどに設置され、図１に示すように、書籍を保護するブックカバー２を収納する収納部１１と、ブックカバー２を書籍に装着した状態で展示する展示部１０とを備える。
【００１２】
展示部１０に展示されたブックカバー２ａ、２ｂ、…、２ｊと収納部に収納されたブックカバー２ａ、２ｂ、…、２ｊは、それぞれ同じブックカバーである。即ち、展示部に展示されたブックカバー２ａは、収納部１１に収納されたブックカバー２ａに対応し、ユーザは、展示部１０に展示されたブックカバー２ａ、２ｂ、…、２ｊを確認し、趣向に合ったブックカバー２ａ、２ｂ、…、２ｊを収納部１１から抜き出す。ブックカバー２ａ、２ｂ、…、２ｊは無料であり、来店したユーザは、本の購入・非購入に関わらず、好みのブックカバー２ａ、２ｂ、…、２ｊを手に入れることができる。
【００１３】
又、ブックカバーの表面には広告が印刷されている。広告内容は、各広告主のブランドイメージと合致した内容とする。
【００１４】
又、ブックカバー棚１は、高さ（Ｌ）約１６００ｍｍ、幅（Ｗ）約４６０ｍｍ、奥行き（Ｄ）約４００ｍｍの略直方体の形状である。又、容易に移動できるよう、その底部にはキャスターが付けられている。ブックカバー棚１は、書店入り口付近もしくはレジカウンター周りに設置されると、ユーザの接触率の高くなり、より好ましい。
【００１５】
本発明の実施の形態に係るブックカバー棚によると、広告機能を有するブックカバーを配布することができる。
【００１６】
（ブックカバーの構成）
本発明の実施の形態に係るブックカバー２は、図２に示すように、長辺及び短辺によって矩形をなすブックカバー本体２０と、ブックカバー本体２０の短辺に延設され、書籍の表紙又は裏表紙の何れかの内側に折り返される折り返し部２１と、ブックカバー本体２０を挟んで折り返し部２１と対向して設けられ、表紙又は裏表紙の何れかが挿入される挿入部２２と、挿入部２２の一部を切り欠き、ブックカバー本体２０の短辺より延設されて書籍の中身に折り込まれるしおり２３と、ブックカバー本体２０及び挿入部２２の向かい合った長辺の一部からそれぞれ延設され、内側に折り返されることにより書籍を保持する羽根部２５とを備える。
【００１７】
本発明の実施の形態に係るブックカバー２の組み立て方法について、図２を用いて説明する。
【００１８】
図２（ａ）に示すように、ブックカバー本体２０は、長辺及び短辺からなる矩形をなす。折り返し部２１は、ブックカバー本体２０の短辺に延設される。挿入部２２は、ブックカバー本体２０を挟んで折り返し部２１と対向した短辺に延設される。しおり２３は、挿入部２２とブックカバー本体２０との境界において、挿入部２２の一部を切り欠き、ブックカバー本体２０の一部に接続するように延設される。又、羽根部２５は、ブックカバー本体２０及び挿入部２２の長辺から延設され、ブックカバー本体２０から突出した形状で構成される。羽根部２５は、対をなし、ブックカバー本体２０及び挿入部２２を挟んで向かい合う。
【００１９】
次に、図２（ｂ）では、１対の羽根部２５がブックカバー本体２０及び挿入部２２の内側に向かって折り込まれている。書籍を保持する際は、折り込まれた羽根部２５とブックカバー本体２０及び挿入部２２の間に、書籍の表紙又は裏表紙を差し込んで保持することとなる。
【００２０】
次に、図２（ｃ）では、挿入部２２はブックカバー本体２０の内側に向かって折り込まれている。このとき、しおり２３は折り込まれず、ブックカバー本体２０から延設された状態で保持される。
【００２１】
図２（ｄ）は、組み立て後のブックカバーを示す。本発明の実施の形態に係るブックカバー２は、この組み立て後の状態で配布されても良く、図２（ａ）に示す展開した状態で頒布されても良い。
【００２２】
又、組み立て後のブックカバー２は、図３に示すように、書籍３に装着される。本発明の実施の形態に係るブックカバー棚１の展示部１０は、図３の状態のブックカバー２及び書籍３を展示する。
【００２３】
本発明の実施の形態に係るブックカバー２には、図２に示す一枚の型に切断された適度な張りを有する材料、例えば、紙、不職布、布、革、人工皮革、合成樹脂シート等の部材が採用されるが、紙が最も望ましい。紙としては、例えば、コート紙ベースで両面エンボス加工を施したものなどが用いられる。ブックカバーの材料として紙を用いる場合は、ブックカバーは、紙、塗工剤及び接着剤から構成される。塗工剤としては、一般に炭酸カルシウムやカオリン等の顔料が用いられ、接着剤としては、一般にコーンスターチ（澱粉）などが用いられる。又、紙などに印刷を施した後、その表面にニスをコーディングし、インク落ちを防ぐことが必要となる。ニスの成分としては、合成樹脂、植物油、アロマフリー系溶剤、耐摩擦剤、マンガン・コバルト錯体乾燥剤、添加剤などが含まれる。
【００２４】
又、本発明の実施の形態に係るブックカバー２では、挿入部２２を切り欠いて構成されたしおり２３は、書籍３を閉じる際は、読みかけのページに折り込まれる。一方、読書の際には、図３のようにほぼ伸びた状態となり、紛失のおそれはない。しおり２３の形状は、図２及び図３では台形状で示したが、これに限らず、長方形でも楕円形でも構わない。
【００２５】
又、上述したように、ブックカバー２の表面は、広告内容の様々な印刷がなされる。ブックカバーに商品等の広告を施すことにより、商品等の宣伝効果につながる。又、美的な広告のデザインを印刷することにより、消費者の嗜好に合致したブックカバーを提供することができる。又、商品の広告に伴い、しおり２３の先端部の形状をその商品をかたどった形にしても構わない。例えば、ジュースの広告をブックカバー本体２０に印刷した場合、しおり２３の先端部をジュースの缶やビンの形状にすることが可能である。
【００２６】
ブックカバー２の印刷には、通常印刷の他、ラミネート加工を行っても良い。あるいは、表面を強化するため、ブックカバー２の表面に、油・パラフィン・ゴム・合成樹脂等によるコーティングを行っても良い。その他、発泡印刷を施し、部分的に盛り上がった形状になるように加工しても良く、ラメ入りの加工を行っても構わない。その他、温度や光によって印刷が浮かび上がるような特殊印刷を行っても構わない。尚、印刷は、ブックカバー２の表面に限らず、両面に行っても良い。
【００２７】
更に、ブックカバー２の表面に香りを付ける加工を行っても良い。ブックカバー２表面に印刷した広告商品が香水であれば、その香水の香りをブックカバー２表面に付着させることにより、更なる宣伝効果が得られる。その他、化粧品等の香りを付着させても良い。香りの付着方法としては、香料を封入したカプセルを付着する、あるいは香料が含まれたインクによって印刷を行うなどの方法が使用可能である。
【００２８】
本発明の実施の形態に係るブックカバーによると、羽根部２５により書籍の保持が強化でき、しおり機能を備えているので、しおりの紛失を防ぐことができる。又、ブックカバー表面に広告が施されているので、本発明の実施の形態に係るブックカバー棚により配布されることにより、商品の宣伝効果が得られる。
【００２９】
（ブックカバーの設置方法）
本発明の実施の形態に係るブックカバー棚１は、図１に示すように、１０種類のブックカバー２ａ、２ｂ、…、２ｊを展示、収納することができる。ブックカバーによる広告を依頼する者（以下において、「広告主」という。）がこのブックカバー棚１にブックカバーを設置する方法について、図４を用いて説明する。尚、広告主は、自然人でも法人でも構わない。
【００３０】
（イ）まず、ステップＳ１００において、ブックカバー棚１の運営管理会社（以下において、「運営管理会社」という。）は、書籍を販売する店舗などに、本発明の実施の形態に係るブックカバー棚１を設置する。
【００３１】
（ロ）次に、ステップＳ１０１において、運営管理会社は、広告主とブックカバー２の製造及び設置契約を結ぶ。このとき、契約条件として、収納部１１の１つの部分（例えば、ブックカバー２ａを収納している部分）について、例えば、２週間で５万枚を収納（配布）するなどの契約がなされる。ブックカバー棚１は、例えば、首都圏の優良書店１００店舗に設置され、それらすべて（１００個）のブックカバー棚１に当該広告主のブックカバー２が収納されることとなる。
【００３２】
（ハ）次に、ステップＳ１０２において、運営管理会社は、設置契約の条件に従って、ブックカバー棚１の収納部１１及び展示部１０にブックカバー２を設置する。又、このとき、運営管理会社は、契約した広告主のブックカバー２が設置されることを告知することとしてもよい。具体的には、運営管理会社が運営するホームページ上に、当該ブックカバーが設置される旨を告知し、当該広告主の運営するホームページへリンクするリンクボタンを設けてもよい。
【００３３】
（ニ）次に、ステップＳ１０３において、ブックカバー２のユーザが、趣向に合ったブックカバー２を選択し、無料でピックアップする。
【００３４】
（ホ）次に、ステップＳ１０４において、運営管理会社は、定期的に（例えば、１週間毎に）、設置契約の条件に従って、ブックカバー２のメンテナンスを行う。具体的には、ユーザがピックアップすることにより収納部１１に収納されたブックカバー２が少なくなった場合は、そのブックカバー２を補充する。又、ブックカバー２を展示、収納する位置によって不平等が生じないよう、ブックカバー２の展示部１０、収納部１１の位置をローテーションさせてもよい。
【００３５】
（へ）次に、ステップＳ１０５において、各広告主との契約が終了したか否か判断する。例えば、契約終了期限（例えば、２週間）を過ぎたか、配布上限枚数（例えば、５万枚）を超えたか、などを確認する。
【００３６】
（ト）契約が終了した場合は、ステップＳ１０６に進み、ブックカバー２を展示部１０及び収納部１１から撤去する。又、このとき、運営管理会社は、契約した広告主のブックカバー２が撤去されることをホームページ上などで告知することとしてもよい。一方、契約が終了していない場合は、ステップＳ１０３に戻る。
【００３７】
本発明の実施の形態に係るブックカバー設置方法によると、広告機能を有するブックカバーを効率的に配布することができる。
【００３８】
（効果）
本発明の実施の形態に係るブックカバー棚１及びブックカバー２の設置方法によると、広告機能を有するブックカバー２を配布することができ、これまでは希有な書店内での固定告知（出版関係外）が、ブックカバー棚１設置時に可能となる。
【００３９】
又、ブックカバー２に広告を施したことにより、書籍が持つリーディングフリークエンシー効果を活かし、ユーザがブックカバー２を利用する際に、広告への接触度を高めることができる。
【００４０】
又、ブックカバー２を利用するユーザだけでなく、ユーザの読書中や移動中にそのブックカバー２を目にした第三者へも広告宣伝を行うことができる。即ち、スタイリッシュな移動看板としての広告効果も望むことができる。
【００４１】
又、ユーザが愛読書に好みのブランドのブックカバー２をカバーリングすることにより、ブランドロイヤリティを更に高めることができる。
【００４２】
更に、ユーザが所望のブックカバー２を手に入れるため、ブックカバー棚１を設置している書店に好んで来店することとなる。このため、書店側にとっても、来客率の向上、売り上げの向上につながるという効果を奏する。
【００４３】
（その他の実施の形態）
本発明は上記の実施の形態によって記載したが、この開示の一部をなす論述及び図面はこの発明を限定するものであると理解すべきではない。この開示から当業者には様々な代替実施の形態、実施例及び運用技術が明らかとなろう。
【００４４】
例えば、図１において、ブックカバー棚１は１０種類のブックカバー２を展示及び収納することが可能であると説明したが、１０種類には限られず、その数を増減することは構わない。
【００４５】
又、本発明の実施の形態では、ブックカバーの表面に広告を施すと説明したが、ブックカバーのリバーシブルの使用を可能とし、裏面を広告面（情報掲載面）として利用してもよい。
【００４６】
このように、本発明はここでは記載していない様々な実施の形態等を含むことは勿論である。従って、本発明の技術的範囲は上記の説明から妥当な特許請求の範囲に係る発明特定事項によってのみ定められるものである。
【図面の簡単な説明】
【００４７】
【図１】本発明の実施の形態に係るブックカバー棚の構成を示す図である。
【図２】（ａ）は、本発明の実施の形態に係るブックカバーの展開図、（ｂ）、（ｃ）は、組み立て図、（ｄ）は、内側から見た完成図である。
【図３】本発明の実施の形態に係るブックカバーを書籍に装着した図である。
【図４】本発明の実施の形態に係るブックカバーの設置方法を示すフローチャートである。
【符号の説明】
【００４８】
１  ブックカバー棚
２  ブックカバー
３  書籍
１０  展示部
１１  収納部
２０  ブックカバー本体
２１  折り返し部
２２  挿入部
２３  しおり
２５  羽根部
【図１】
2005137561.tif 000003
【図２】
2005137561.tif 000004
【図３】
2005137561.tif 000005
【図４】
2005137561.tif 000006